【手続補正書】
【提出日】平成18年11月1日(2006.11.1)
【手続補正１】
【補正対象書類名】明細書
【補正対象項目名】特許請求の範囲
【補正方法】変更
【補正の内容】
【特許請求の範囲】
【請求項１】
制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、
上記シリアル回線を介して上記被制御部から送信されるシリアル信号の入力を受けパラレル信号に変換する入力手段と、
上記シリアル回線を介して上記被制御部から送信される所定の信号の入力を受け、上記パラレル信号を記憶する記憶手段と、
上記記憶手段に記憶された信号に基づいて所定の表示を行う表示手段と、
上記シリアル信号に含まれる複数種類の信号を、所定の同期信号に基づいて別々に抽出し、上記記憶手段の所定の領域に、それぞれを記憶するよう制御する制御手段と、
を具備することを特徴とする制御システムのモニタ装置。
【請求項２】
制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、
上記シリアル回線を介して上記被制御部から送信されるシリアル信号の入力を受けパラレル信号に変換する入力手段と、
上記シリアル回線を介して上記被制御部から送信される所定の信号の入力を受け、上記パラレル信号を記憶する記憶手段と、
上記記憶手段に記憶された信号に基づいて所定の表示を行う表示手段と、
上記シリアル信号に含まれる上記被制御部の出力ポートに係る信号、上記被制御部に接続されたセンサに係る信号を、所定の同期信号に基づいて別々に抽出し、上記記憶手段の所定の領域に、それぞれを記憶するよう制御する制御手段と、
を具備することを特徴とする制御システムのモニタ装置。
【請求項３】
制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、
上記シリアル回線を介して上記被制御部から送信されるシリアル信号の入力を受けパラレル信号に変換する入力手段と、
上記シリアル回線を介して上記被制御部から送信される所定の信号の入力を受け、上記パラレル信号を記憶する記憶手段と、
上記記憶手段に記憶された信号に基づいて所定の表示を行う表示手段と、
上記シリアル信号に含まれる、上記制御部から被制御部を制御するコマンドに係る信号、及び被制御部から制御部に対して伝送されるレスポンスに係る信号を、所定の同期信号に基づいて別々に抽出し、所定のアドレス情報を付加して、上記記憶手段の所定の領域に、それぞれを記憶するよう制御する制御手段と、
を具備することを特徴とする制御システムのモニタ装置。
【請求項４】
制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、
上記シリアル回線を介して上記被制御部から送信されるシリアル信号の入力を受けパラレル信号に変換する入力手段と、
上記シリアル回線を介して上記被制御部から送信される所定の信号の入力を受け、上記パラレル信号を記憶する記憶手段と、
上記記憶手段に記憶された信号に基づいて所定の表示を行う表示手段と、
を具備し、上記記シリアル回線を介して上記被制御部から送信される信号は、上記被制御部に接続されたセンサのＯＮ／ＯＦＦ状態に係る信号を含み、上記表示手段は、少なくとも当該センサのＯＮ／ＯＦＦ状態を表示することを特徴とする制御システムのモニタ装置。
【請求項５】
上記シリアル回線と異なる回線を介して外部信号を取り込むための外部信号入力手段を更に具備し、
上記シリアル回線を介して上記制御部及び被制御部から送信される信号は、上記被制御部の出力ポートＯＮ／ＯＦＦ状態、上記被制御部に接続されたセンサのＯＮ／ＯＦＦ状態に係る信号を含み、
上記表示手段は、センサのＯＮ／ＯＦＦ状態と、出力ポートＯＮ／ＯＦＦ状態とを同一時間軸上に、上記外部信号入力手段を介して入力された外部信号に基づく情報を表示することを特徴とする請求項４に記載の制御システムのモニタ装置。
【請求項６】
制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、
上記制御部から被制御部を制御するコマンド、及び被制御部から制御部に対してレスポンスを伝送する伝送手段と、
上記シリアル回線を介して上記制御部及び被制御部から送信されるシリアル信号及び上記伝送手段を伝送されるコマンド、レスポンス信号の入力を受けパラレル信号に変換する入力手段と、
上記シリアル回線を介して上記制御部及び被制御部から送信される所定の信号の入力を受け、上記パラレル信号を記憶する記憶手段と、
上記記憶手段に記憶された信号に基づいて所定の表示を行う表示手段と、
を具備し、
上記シリアル回線を介して上記制御部及び被制御部から送信される信号は、上記被制御部の出力ポートＯＮ／ＯＦＦ状態、上記被制御部に接続されたセンサのＯＮ／ＯＦＦ状態に係る信号を含み、
上記表示手段は、センサのＯＮ／ＯＦＦ状態、出力ポートＯＮ／ＯＦＦ状態と同一時間軸上に、上記伝送手段を介して入力されたコマンド、レスポンスの情報を表示することを特徴とする制御システムのモニタ装置。
【請求項７】
外部信号を取り込むための外部信号入力手段を更に具備し、
上記表示手段は、センサのＯＮ／ＯＦＦ状態、出力ポートＯＮ／ＯＦＦ状態、及び外部信号と同一時間軸上に、上記コマンド、レスポンスの情報を表示することを特徴とする請求項６に記載の制御システムのモニタ装置。
【請求項８】
制御部と所定の媒体が搬送されると共に媒体の搬送を検知するセンサを有する被制御部とがシリアル回線を介して接続され、上記制御部から制御対象及び制御内容を上記シリアル回線を通じて上記被制御部に指示し、当該被制御部から少なくとも上記センサの出力を上記シリアル回線を通じて上記制御部に返送する装置の動作状態をモニタするものであって、
上記シリアル回線を介して上記被制御部から送信されるセンサの出力信号の入力を受けパラレル信号に変換する入力手段と、
上記シリアル回線を介して上記被制御部から送信されるセンサの出力信号を記憶する記憶手段と、
上記記憶手段に記憶された信号に基づいて所定の表示を行う表示手段と、
上記表示手段上で所望とするセンサ、計測範囲の少なくともいずれかを指定する指定手段と、
上記指定手段により指定されたセンサの位置を複数の媒体が搬送された際の当該センサの出力の変化に基づいて、媒体の傾き、媒体間の間隔、媒体の通過時間、センサ間の搬送時間を計算し、上記表示手段に表示するよう制御する制御手段と、
を具備することを特徴とする制御システムのモニタ装置。
【請求項９】
上記制御手段は、上記計測範囲の計測開始位置から計測終了位置の間で、上記指定手段により指定された一つのセンサの出力が明から暗に変化する位置を検出し、他のセンサの出力が明から暗に変化する位置を検出し、両者の時間差を求めることで、少なくとも、媒体の傾き、媒体間の間隔、媒体の通過時間、又はセンサ間の搬送時間を計算し、上記表示手段に表示するよう制御することを特徴とする請求項８に記載の制御システムのモニタ装置。
【請求項１０】
制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、
上記制御部から被制御部を制御するコマンド、及び被制御部から制御部に対してレスポンスを伝送する伝送手段と、
上記シリアル回線を介して上記被制御部から送信されるシリアル信号及び上記伝送手段を伝送されるコマンド、レスポンス信号の入力を受けパラレル信号に変換する入力手段と、
上記シリアル回線を介して上記被制御部から送信される所定の信号の入力を受け、上記パラレル信号を記憶する記憶手段と、
上記記憶手段に記憶された信号に基づいて所定の表示を行う表示手段と、
検索すべきコマンド、レスポンスを指定する指定手段と、
上記指定手段により指定された指定コマンド、レスポンスを上記記憶手段から検索し、当該コマンドまたはレスポンスが伝送された時刻を含む時間帯のデータを上記表示手段に表示するよう制御する制御手段と、
を具備することを特徴とする制御システムのモニタ装置。
【請求項１１】
上記指定手段により指定されたコマンド、レスポンスが伝送されたことを上記記憶手段の記憶内容に基づいて検出するトリガ検出手段と、
を更に有し、
上記制御手段は、上記トリガ検出手段により上記指定手段にて指定されたコマンド、レスポンスが伝送されたことが検出された場合に上記記憶手段へのパラレル信号の記憶を停止するよう制御する、
ことを特徴とする請求項１０に記載の制御システムのモニタ装置。
【手続補正２】
【補正対象書類名】明細書
【補正対象項目名】０００７
【補正方法】変更
【補正の内容】
【０００７】
【課題を解決するための手段】
上記目的を達成するために、本発明の第１の態様によれば、制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、上記シリアル回線を介して上記被制御部から送信されるシリアル信号の入力を受けパラレル信号に変換する入力手段と、上記シリアル回線を介して上記被制御部から送信される所定の信号の入力を受け、上記パラレル信号を記憶する記憶手段と、上記記憶手段に記憶された信号に基づいて所定の表示を行う表示手段と、上記シリアル信号に含まれる複数種類の信号を、所定の同期信号に基づいて別々に抽出し、上記記憶手段の所定の領域に、それぞれを記憶するよう制御する制御手段と、を具備することを特徴とする制御システムのモニタ装置が提供される。  
本発明の第２の態様によれば、制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、上記シリアル回線を介して上記被制御部から送信されるシリアル信号の入力を受けパラレル信号に変換する入力手段と、上記シリアル回線を介して上記被制御部から送信される所定の信号の入力を受け、上記パラレル信号を記憶する記憶手段と、上記記憶手段に記憶された信号に基づいて所定の表示を行う表示手段と、上記シリアル信号に含まれる上記被制御部の出力ポートに係る信号、上記被制御部に接続されたセンサに係る信号を、所定の同期信号に基づいて別々に抽出し、上記記憶手段の所定の領域に、それぞれを記憶するよう制御する制御手段と、を具備することを特徴とする制御システムのモニタ装置が提供される。 
本発明の第３の態様によれば、制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、上記シリアル回線を介して上記被制御部から送信されるシリアル信号の入力を受けパラレル信号に変換する入力手段と、上記シリアル回線を介して上記被制御部から送信される所定の信号の入力を受け、上記パラレル信号を記憶する記憶手段と、上記記憶手段に記憶された信号に基づいて所定の表示を行う表示手段と、上記シリアル信号に含まれる、上記制御部から被制御部を制御するコマンドに係る信号、及び被制御部から制御部に対して伝送されるレスポンスに係る信号を、所定の同期信号に基づいて別々に抽出し、所定のアドレス情報を付加して、上記記憶手段の所定の領域に、それぞれを記憶するよう制御する制御手段と、を具備することを特徴とする制御システムのモニタ装置が提供される。 
本発明の第４の態様によれば、制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、上記シリアル回線を介して上記被制御部から送信されるシリアル信号の入力を受けパラレル信号に変換する入力手段と、上記シリアル回線を介して上記被制御部から送信される所定の信号の入力を受け、上記パラレル信号を記憶する記憶手段と、上記記憶手段に記憶された信号に基づいて所定の表示を行う表示手段と、を具備し、上記記シリアル回線を介して上記被制御部から送信される信号は、上記被制御部に接続されたセンサのＯＮ／ＯＦＦ状態に係る信号を含み、上記表示手段は、少なくとも当該センサのＯＮ／ＯＦＦ状態を表示することを特徴とする制御システムのモニタ装置が提供される。 
本発明の第５の態様によれば、上記第４の態様において、上記シリアル回線と異なる回線を介して外部信号を取り込むための外部信号入力手段を更に具備し、上記シリアル回線を介して上記制御部及び被制御部から送信される信号は、上記被制御部の出力ポートＯＮ／ＯＦＦ状態、上記被制御部に接続されたセンサのＯＮ／ＯＦＦ状態に係る信号を含み、上記表示手段は、センサのＯＮ／ＯＦＦ状態と、出力ポートＯＮ／ＯＦＦ状態とを同一時間軸上に、上記外部信号入力手段を介して入力された外部信号に基づく情報を表示することを特徴とする制御システムのモニタ装置が提供される。 
本発明の第６の態様によれば、制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、上記制御部から被制御部を制御するコマンド、及び被制御部から制御部に対してレスポンスを伝送する伝送手段と、上記シリアル回線を介して上記制御部及び被制御部から送信されるシリアル信号及び上記伝送手段を伝送されるコマンド、レスポンス信号の入力を受けパラレル信号に変換する入力手段と、上記シリアル回線を介して上記制御部及び被制御部から送信される所定の信号の入力を受け、上記パラレル信号を記憶する記憶手段と、上記記憶手段に記憶された信号に基づいて所定の表示を行う表示手段と、を具備し、上記シリアル回線を介して上記制御部及び被制御部から送信される信号は、上記被制御部の出力ポートＯＮ／ＯＦＦ状態、上記被制御部に接続されたセンサのＯＮ／ＯＦＦ状態に係る信号を含み、上記表示手段は、センサのＯＮ／ＯＦＦ状態、出力ポートＯＮ／ＯＦＦ状態と同一時間軸上に、上記伝送手段を介して入力されたコマンド、レスポンスの情報を表示することを特徴とする制御システムのモニタ装置が提供される。 
本発明の第７の態様によれば、上記第６の態様において、外部信号を取り込むための外部信号入力手段を更に具備し、上記表示手段は、センサのＯＮ／ＯＦＦ状態、出力ポートＯＮ／ＯＦＦ状態、及び外部信号と同一時間軸上に、上記コマンド、レスポンスの情報を表示することを特徴とする制御システムのモニタ装置が提供される。 
本発明の第８の態様によれば、制御部と所定の媒体が搬送されると共に媒体の搬送を検知するセンサを有する被制御部とがシリアル回線を介して接続され、上記制御部から制御対象及び制御内容を上記シリアル回線を通じて上記被制御部に指示し、当該被制御部から少なくとも上記センサの出力を上記シリアル回線を通じて上記制御部に返送する装置の動作状態をモニタするものであって、上記シリアル回線を介して上記被制御部から送信されるセンサの出力信号の入力を受けパラレル信号に変換する入力手段と、上記シリアル回線を介して上記被制御部から送信されるセンサの出力信号を記憶する記憶手段と、上記記憶手段に記憶された信号に基づいて所定の表示を行う表示手段と、上記表示手段上で所望とするセンサ、計測範囲の少なくともいずれかを指定する指定手段と、上記指定手段により指定されたセンサの位置を複数の媒体が搬送された際の当該センサの出力の変化に基づいて、媒体の傾き、媒体間の間隔、媒体の通過時間、センサ間の搬送時間を計算し、上記表示手段に表示するよう制御する制御手段と、を具備することを特徴とする制御システムのモニタ装置が提供される。 
本発明の第９の態様によれば、上記第８の態様において、上記制御手段は、上記計測範囲の計測開始位置から計測終了位置の間で、上記指定手段により指定された一つのセンサの出力が明から暗に変化する位置を検出し、他のセンサの出力が明から暗に変化する位置を検出し、両者の時間差を求めることで、少なくとも、媒体の傾き、媒体間の間隔、媒体の通過時間、又はセンサ間の搬送時間を計算し、上記表示手段に表示するよう制御することを特徴とする制御システムのモニタ装置が提供される。 
本発明の第１０の態様によれば、制御部と被制御部とがシリアル回線を介して接続され、上記制御部から制御対象及び制御内容を上記シリアル回線を通じて上記被制御部に指示し、当該被制御部から該被制御部の状態を上記シリアル回線を通じて上記制御部に返送する装置の動作状態をモニタするものであって、上記制御部から被制御部を制御するコマンド、及び被制御部から制御部に対してレスポンスを伝送する伝送手段と、上記シリアル回線を介して上記被制御部から送信されるシリアル信号及び上記伝送手段を伝送されるコマンド、レスポンス信号の入力を受けパラレル信号に変換する入力手段と、上記シリアル回線を介して上記被制御部から送信される所定の信号の入力を受け、上記パラレル信号を記憶する記憶手段と、上記記憶手段に記憶された信号に基づいて所定の表示を行う表示手段と、検索すべきコマンド、レスポンスを指定する指定手段と、上記指定手段により指定された指定コマンド、レスポンスを上記記憶手段から検索し、当該コマンドまたはレスポンスが伝送された時刻を含む時間帯のデータを上記表示手段に表示するよう制御する制御手段と、を具備することを特徴とする制御システムのモニタ装置が提供される。 
本発明の第１１の態様によれば、上記指定手段により指定されたコマンド、レスポンスが伝送されたことを上記記憶手段の記憶内容に基づいて検出するトリガ検出手段と、を更に有し、上記制御手段は、上記トリガ検出手段により上記指定手段にて指定されたコマンド、レスポンスが伝送されたことが検出された場合に上記記憶手段へのパラレル信号の記憶を停止するよう制御する、ことを特徴とする制御システムのモニタ装置が提供される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】